(57)【特許請求の範囲】
【請求項１】
回路基板及び前記回路基板に位置し、マトリクス状に配置される若干の画素ユニットグループを含み、かつ前記各画素ユニットグループが第一方向に沿って隣接して設置され、かつ３つのカラーが異なるサブピクセルをそれぞれ含む第一画素ユニットサブグループと第二画素ユニットサブグループを含み、そのうち、
第一画素ユニットサブグループが第二方向に沿って、第一カラーのサブピクセル、第二カラーのサブピクセル及び第三カラーのサブピクセルとの順番に配置するサブピクセル序列を含み、
第二画素ユニットサブグループが第二方向に沿って、第三カラーのサブピクセル、第一カラーのサブピクセル及び第二カラーのサブピクセルとの順番に配置するサブピクセル序列を含み、
前記同じ画素ユニットグループに、前記第一画素ユニットサブグループと前記第二画素ユニットサブグループにそれぞれ位置し、隣接する２つの第一カラーのサブピクセルの中心の間の距離が前記第二方向での分量、前記第一画素ユニットサブグループと前記第二画素ユニットサブグループにそれぞれ位置し、隣接する２つの第二カラーのサブピクセルの中心の間の距離が前記第二方向での分量、及び前記第一画素ユニットサブグループと前記第二画素ユニットサブグループにそれぞれ位置し、隣接する２つの第三カラーのサブピクセルの中心の間の距離が前記第二方向での分量が同じであり、
前記第三カラーのサブピクセルの大きさがそれぞれ前記第一カラーのサブピクセルの大きさと前記第二カラーのサブピクセルの大きさより小さく、
かつ、前記各画素ユニットグループが、前記各サブピクセルと一々対応するコンタクトホール及び画素電路を含み、前記各サブピクセルが対応コンタクトホールによって対応画素電路と電気接続し、そのうち、
第一画素ユニットサブグループに、第一コンタクトホールが前記第一カラーのサブピクセルと前記第二カラーのサブピクセルとの間に位置し、第二コンタクトホールと第三コンタクトホールがそれぞれ前記第三カラーのサブピクセルの前記第一方向の両側に位置し；
第二画素ユニットサブグループに、第四コンタクトホールが前記第一カラーのサブピクセルと前記第二カラーのサブピクセルとの間に位置し、第五コンタクトホールと第六コンタクトホールがそれぞれ前記第三カラーのサブピクセルの前記第一方向の両側に位置することを特徴とする有機発光ダイオード表示部品。
【請求項２】
同じ画素ユニットサブグループに、隣接する２つのサブピクセルの中心の間の距離が不変のものであることを特徴とする請求項１に記載の有機発光ダイオード表示部品。
【請求項３】
同じカラーのサブピクセルの大きさが同じであることを特徴とする請求項１に記載の有機発光ダイオード表示部品。
【請求項４】
前記第一方向が前記第二方向に垂直であることを特徴とする請求項１に記載の有機発光ダイオード表示部品。
【請求項５】
前記同じ画素ユニットグループに、前記第一画素ユニットサブグループと前記第二画素ユニットサブグループにそれぞれ位置し、隣接する２つの同じカラーのサブピクセルの中心の間の距離が前記第一方向での分量が前記第二方向での分量の３／４以下であることを特徴とする請求項１に記載の有機発光ダイオード表示部品。
【請求項６】
前記第一カラーのサブピクセル、前記第二カラーのサブピクセル及び前記第三カラーのサブピクセルが赤サブピクセル、緑サブピクセル及び青サブピクセルからなるグループより選ばれるものであることを特徴とする請求項１〜５の何れか１項に記載の有機発光ダイオード表示部品。
【請求項７】
前記同じ画素ユニットグループに、
前記第一画素ユニットサブグループと前記第二画素ユニットサブグループにそれぞれ位置し、隣接する２つの前記第三カラーのサブピクセルの中心の間の距離が前記第一方向での分量が前記第二方向での分量の３／４より小さく、
前記第一画素ユニットサブグループと前記第二画素ユニットサブグループにそれぞれ位置し、隣接する２つの前記第一カラーのサブピクセルの中心の間の距離が前記第一方向での分量が前記第二方向での分量の３／４に等しく、
前記第一画素ユニットサブグループと前記第二画素ユニットサブグループにそれぞれ位置し、隣接する２つの前記第二カラーのサブピクセルの中心の間の距離が前記第一方向での分量が前記第二方向での分量の３／４に等しいことを特徴とする請求項１に記載の有機発光ダイオード表示部品。
【請求項８】
前記第一コンタクトホール、前記第五コンタクトホールと前記第六コンタクトホールが前記第一方向に一直線になり、前記第二コンタクトホール、前記第三コンタクトホールと前記第四コンタクトホールが前記第一方向に一直線になり、前記第一コンタクトホールと前記第二コンタクトホールが前記第二方向に一直線になり、前記第五コンタクトホールと前記第三コンタクトホールが前記第二方向に一直線になり、前記第六コンタクトホールと前記第四コンタクトホールが前記第二方向に一直線になることを特徴とする請求項７に記載の有機発光ダイオード表示部品。
【請求項９】
前記第三カラーのサブピクセルが緑サブピクセルであることを特徴とする請求項８に記載の有機発光ダイオード表示部品。
【請求項１０】
前記第三カラーのサブピクセルが前記第二方向に沿って延伸する第一部分、及び前記第一部分から前記第一方向に平行する方向に沿って延伸する延伸部を含み、
前記第一画素ユニットサブグループに、前記第二コンタクトホールと前記第三コンタクトホールがそれぞれ前記第三カラーのサブピクセルの前記第一部分の両側に位置し、かつ前記第三カラーのサブピクセルの前記延伸部が少なくとも前記第二コンタクトホールの片側に位置し、
第二画素ユニットサブグループに、前記第五コンタクトホールと前記第六コンタクトホールがそれぞれ前記第三カラーのサブピクセルの前記第一部分の両側に位置し、かつ前記第三カラーのサブピクセルの前記延伸部が少なくとも前記第六コンタクトホールの片側に位置することを特徴とする請求項８に記載の有機発光ダイオード表示部品。
【請求項１１】
前記青サブピクセルの大きさが前記赤サブピクセルの大きさより大きいことを特徴とする請求項９に記載の有機発光ダイオード表示部品。
【請求項１２】
前記青サブピクセルの大きさが前記赤サブピクセルの大きさに等しいことを特徴とする請求項９に記載の有機発光ダイオード表示部品。
【請求項１３】
前記各サブピクセルの形状が矩形であることを特徴とする請求項１〜５の何れか１項に記載の有機発光ダイオード表示部品。
【請求項１４】
同じ画素ユニットグループに、前記第一画素ユニットサブグループと前記第二画素ユニットサブグループが少なくとも１つのサブピクセルを共用するのを含むことを特徴とする請求項１〜１３の何れか１項に記載の有機発光ダイオード表示部品の駆動方法。
【請求項１５】
請求項１〜１３の何れか１項に記載の有機発光ダイオード表示部品を含むことを特徴とする表示装置。
【発明の詳細な説明】
【技術分野】
【０００１】
本発明は表示技術分野に関し、特に有機発光ダイオード表示部品、その駆動方法及び表示装置に関する。
【背景技術】
【０００２】
有機発光ダイオード（Ｏｒｇａｎｉｃ  Ｌｉｇｈｔ  Ｅｍｉｔｔｉｎｇ  Ｄｉｏｄｅ，ＯＬＥＤ）表示部品は、現在フラットパネルディスプレー研究分野の１つのホットスポットである。液晶ディスプレイに比べて、ＯＬＥＤ表示部品は低電力消耗、低生産コスト、自己発光、広視野角及び高速応答などのメリットを有する。現在、携帯、ＰＤＡ、デジカメなどのフラットパネル表示分野において、ＯＬＥＤ表示部品は伝統的な液晶ディスプレイ（Ｌｉｑｕｉｄ  Ｃｒｙｓｔａｌ  Ｄｉｓｐｌａｙ，ＬＣＤ）に取って代わりはじめた。
【０００３】
ＯＬＥＤ表示部品の構造は主として回路基板と、回路基板にマトリクス状に配置される画素を含む。そのうち、各画素は一般的に有機材料を蒸着成膜技術で高精細金属マスクに透過させ、配列基板の対応画素位置に有機発光ダイオード構造を形成する。カラー表示を行うために、ＯＬＥＤ表示部品をカラー化する必要がある。そのうち、カラー画面効果の最もよいものはサイド・バイ・サイド（Ｓｉｄｅ−ｂｙ−Ｓｉｄｅ）方式である。サイド・バイ・サイド方式は、１つの画素範囲内に赤、緑、青（Ｒ、Ｇ、Ｂ）との３つのサブピクセルがあり、各サブピクセルは独立した有機発光ダイオード構造を有する。赤、緑、青との３つのサブピクセルの有機発光材料が異なるため、製造過程において、金属マスクによって対応位置に赤、緑、青との３つのサブピクセルに対してそれぞれ３つの異なる有機発光材料を蒸着する必要があり、その後、３つのカラー組み合わせの混合比を調節し、トゥルーカラーが生じる。
【０００４】
高解像度（Ｐｉｘｅｌ  ｐｅｒ  ｉｎｃｈ，ＰＰＩ）ＯＬＥＤ表示部品を作製する技術ポイントは、精細及び機械安定性が良好である高精細金属マスクにある。高精細金属マスクのキーポイントは、画素及びサブピクセルの配置方式にある。
【０００５】
現在、従来のＯＬＥＤ表示部品では、画素配列の配置方式は普通でサイド・バイ・サイド方式である。図１に示すように、ＯＬＥＤ表示部品は回路基板１、及び回路基板１に位置し、マトリクス状に配置される画素ユニット２を含む。１つの画素ユニット２は赤（Ｒ）、緑（Ｇ）、青（Ｂ）との３つの互いに平行するサブピクセルを含有する。この画素配置構造を形成するために、対応する金属マスクは図２の通りである。図２では、図１に示される画素配置構造中の１つのサブピクセル（Ｒサブピクセル）の形成用金属マスクを示した。各サブピクセルの図形が同じであるので、残りのサブピクセル（Ｇ、Ｂ）を形成するために、同じ構造の金属マスクが使用できる。
【０００６】
図２において、金属マスクは金属基板３及び金属基板上の矩形の開口４を含む。表示部品中の同一列のサブピクセルが同じ開口を共用するため、金属マスクの開口４の長さが比較的に長い。低解像度の表示部品にとって、画素の個数が比較的に少ないため、金属マスク上の隣接する開口４の間の筋金の幅が比較的に広い。従って、金属マスクの作製及び使用管理が比較的に容易である。しかし、表示部品の解像度が高くなるにつれて、金属マスクの隣接する開口の間の筋金の幅が小さくなる。これにより、金属マスクが使用される過程に、隣接する開口の間の筋金が外界の影響を受けて変形しやすくなった。それゆえに、サブピクセル同士の異なるカラーの有機発光材料が互いに汚染して混色になってしまい、製品の歩留率が高くなくなってしまった。
【０００７】
前記問題に対し、図１に示す画素配置構造を形成するために、図３に示す金属マスクを提出した。図３に示すように、金属マスクは図２に示す金属マスク中の開口が図１に示すサブピクセルの間に対応位置に金属ラッピングブリッジ５を増加させることにより、隣接する筋金を接続する。図２に示す１つの細長い開口４を複数の図１に示すサブピクセルに対応する開口６に変更する。この方法により、金属マスク中の筋金の形状がさらにしっかりするようになるが、サブピクセルの製造過程に、蒸着時に金属ラッピングブリッジがサブピクセルに対して陰影効果を生じることを避けるために、サブピクセルと金属ラッピングブリッジとの間に、十分な距離を維持することが必要である。それにより、サブピクセルの大きさが小さくなり、ＯＬＥＤ表示部品の開口率に影響を与える。
【発明の概要】
【発明が解決しようとする課題】
【０００８】
これに鑑み、本発明の実施例は、金属マスクの作製が容易で、かつ機械安定性が高くようにすることにより、高解像度有機発光ダイオード表示部品の生産率を向上させ、生産コストを低減させるとの目的を実現するために、新規な画素配置方式の有機発光ダイオード表示部品の提供用有機発光ダイオード表示部品、その駆動方法及び表示装置を提供する。
【課題を解決するための手段】
【０００９】
従って、本発明の実施例は有機発光ダイオード表示部品を提供する。この有機発光ダイオード表示部品は、回路基板及びこの回路基板に位置し、マトリクス状に配置される若干の画素ユニットグループを含み、かつ前記各画素ユニットグループが第一方向に沿って隣接して設置され、かつ３つのカラーが異なるサブピクセルをそれぞれ含む第一画素ユニットサブグループ（ｓｕｂｇｒｏｕｐ）と第二画素ユニットサブグループを含み、そのうち、
第一画素ユニットサブグループが第二方向に沿って、第一サブピクセル、第二サブピクセル及び第三サブピクセルとの順番に配置するサブピクセル序列を含み、
第二画素ユニットサブグループが第二方向に沿って、第三サブピクセル、第一サブピクセル及び第二サブピクセルとの順番に配置するサブピクセル序列を含み、
前記同じ画素ユニットグループに、前記第一画素ユニットサブグループと前記第二画素ユニットサブグループにそれぞれ位置し、隣接する２つの第一サブピクセルの中心の間の距離が前記第二方向での分量、前記第一画素ユニットサブグループと前記第二画素ユニットサブグループにそれぞれ位置し、隣接する２つの第二サブピクセルの中心の間の距離が前記第二方向での分量、及び前記第一画素ユニットサブグループと前記第二画素ユニットサブグループにそれぞれ位置し、隣接する２つの第三サブピクセルの中心の間の距離が前記第二方向での分量が同じである。
【００１０】
好ましくは、本発明の実施例に提供される前記有機発光ダイオード表示部品は、同じ画素ユニットサブグループに、隣接する２つのサブピクセルの中心の間の距離は不変のものである。
【００１１】
好ましくは、本発明の実施例に提供される前記有機発光ダイオード表示部品は、同じカラーのサブグループの大きさが同じである。
【００１２】
好ましくは、本発明の実施例に提供される前記有機発光ダイオード表示部品は、前記第一方向が前記第二方向に垂直する。
【００１３】
好ましくは、解像度を向上するために、前記同じ画素ユニットグループに、前記第一画素ユニットサブグループと前記第二画素ユニットサブグループにそれぞれ位置し、隣接する２つの同じカラーのサブピクセルの中心の間の距離が前記第一方向での分量が前記第二方向での分量の３／４以下である。
【００１４】
好ましくは、本発明の実施例に提供される前記有機発光ダイオード表示部品は、前記第一サブピクセル、前記第二サブピクセル及び前記第三サブピクセルは、赤サブピクセル、緑サブピクセル及び青サブピクセルからなるグループより選ばれるものである。
【００１５】
好ましくは、金属マスク（Ｍａｓｋ）の作製数量を減らすために、本発明の実施例に提供される前記有機発光ダイオード表示部品は、前記同じ画素ユニットグループに、各サブピクセルの大きさが同じである。
【００１６】
好ましくは、有機発光ダイオード表示部品の寿命を延長するために、本発明の実施例に提供される前記有機発光ダイオード表示部品は、前記同じ画素ユニットグループに、前記赤サブピクセルの大きさが前記緑サブピクセルの大きさと同じで、前記青サブピクセルの大きさが前記赤サブピクセルの大きさより大きい。
【００１７】
好ましくは、回路基板に各サブピクセルと対応画素電路を接続する接触孔の設置の便利のため、本発明の実施例に提供される前記有機発光ダイオード表示部品は、前記第三サブピクセルの大きさがそれぞれ前記第一サブピクセルの大きさと前記第二サブピクセルの大きさより小さい。
【００１８】
さらに、有機発光ダイオード表示部品の解像度を確保し、回路基板に各サブピクセルと対応画素電路を接続する接触孔の設置の便利のため、本発明の実施例に提供される前記有機発光ダイオード表示部品は前記同じ画素ユニットグループに、
前記第一画素ユニットサブグループと前記第二画素ユニットサブグループにそれぞれ位置し、隣接する２つの前記第三サブピクセルの中心の間の距離が前記第一方向での分量が前記第二方向での分量の３／４より小さく、
前記第一画素ユニットサブグループと前記第二画素ユニットサブグループにそれぞれ位置し、隣接する２つの前記第一サブピクセルの中心の間の距離が前記第一方向での分量が前記第二方向での分量の３／４に等しく、
前記第一画素ユニットサブグループと前記第二画素ユニットサブグループにそれぞれ位置し、隣接する２つの前記第二サブピクセルの中心の間の距離が前記第一方向での分量が前記第二方向での分量の３／４に等しい。
【００１９】
具体的には、回路基板に各サブピクセルと対応画素電路を接続する接触孔の設置の便利のため、本発明の実施例に提供される前記有機発光ダイオード表示部品は、前記各画素ユニットグループが、前記各サブピクセルと一々対応する接触孔及び画素電路を含み、前記各サブピクセルが対応接触孔によって対応画素電路と電気接続し、そのうち、
第一画素ユニットサブグループに、第一接触孔が前記第一サブピクセルと前記第二サブピクセルとの間に位置し、第二接触孔と第三接触孔がそれぞれ前記第三サブピクセルの前記第一方向の両側に位置し；
第二画素ユニットサブグループに、第四接触孔が前記第一サブピクセルと前記第二サブピクセルとの間に位置し、第五接触孔と第六接触孔がそれぞれ前記第三サブピクセルの前記第一方向の両側に位置し；
かつ、前記第一接触孔、前記第五接触孔と前記第六接触孔が前記第一方向に一直線になり、前記第二接触孔、前記第三接触孔と前記第四接触孔が前記第一方向に一直線になり、前記第一接触孔と前記第二接触孔が前記第二方向に一直線になり、前記第五接触孔と前記第三接触孔が前記第二方向に一直線になり、前記第六接触孔と前記第四接触孔が前記第二方向に一直線になる。これで、回路基板上の各接触孔がマトリクス状に配置され、これにより、有機発光ダイオード表示部品のバックプレーン配線の難しさを減らすことができる。
【００２０】
好ましくは、有機発光ダイオード表示部品の表示効果を確保するために、本発明の実施例に提供される前記有機発光ダイオード表示部品は、前記第三サブピクセルが緑サブピクセルである。
【００２１】
好ましくは、有機発光ダイオード表示部品の開口率を確保するために、本発明の実施例に提供される前記有機発光ダイオード表示部品は、前記第三サブピクセルが前記第二方向に沿って延伸する第一部分、及び前記第一部分から前記第一方向に平行する方向に沿って延伸する延伸部を具体的に含み、
第一画素ユニットサブグループに、前記第二接触孔と前記第三接触孔がそれぞれ前記第三サブピクセルの前記第一部分の両側に位置し、かつ前記第三サブピクセルの前記延伸部が少なくとも前記第二接触孔の片側に位置し、
第二画素ユニットサブグループに、前記第五接触孔と前記第六接触孔がそれぞれ前記第三サブピクセルの前記第一部分の両側に位置し、かつ前記第三サブピクセルの前記延伸部が少なくとも前記第六接触孔の片側に位置する。
【００２２】
好ましくは、金属マスクの作製回数を減らすために、本発明の実施例に提供される前記有機発光ダイオード表示部品は、前記青サブピクセルの大きさが前記赤サブピクセルの大きさより大きい。
【００２３】
好ましくは、有機発光ダイオード表示部品の寿命を確保するために、本発明の実施例に提供される前記有機発光ダイオード表示部品は、前記青サブピクセルの大きさが前記赤サブピクセルの大きさに等しい。
【００２４】
好ましくは、実施の便利のため、本発明の実施例に提供される前記有機発光ダイオード表示部品は、各サブピクセルの形状が矩形である。
【００２５】
それに応じ、本発明の実施例は、前記同じ画素ユニットグループに、前記第一画素ユニットサブグループと前記第二画素ユニットサブグループが少なくとも１つのサブピクセルを共用することを含む、前記何れかの有機発光ダイオード表示部品の駆動方法も提供する。
【００２６】
それに応じ、本発明の実施例は、本発明の実施例に提供される前記有機発光ダイオード表示部品を含む表示装置も提供する。
【００２７】
本発明の実施例に提供される有機発光ダイオード表示部品、その駆動方法及び表示装置により、各画素ユニットグループが第一方向に沿って隣接して設置され、かつ３つのカラーが異なるサブピクセルを含む第一画素ユニットサブグループと前記第二画素ユニットサブグループを含み、そのうち、第一画素ユニットサブグループが第二方向に沿って、第一サブピクセル、第二サブピクセル及び第三サブピクセルとの順番に配置するサブピクセル序列を含み、第二画素ユニットサブグループが第二方向に沿って、第三サブピクセル、第一サブピクセル及び第二サブピクセルとの順番に配置するサブピクセル序列を含み、前記同じ画素ユニットグループに、前記第一画素ユニットサブグループと前記第二画素ユニットサブグループにそれぞれ位置し、隣接する２つの第一サブピクセルの中心の間の距離が前記第二方向での分量、前記第一画素ユニットサブグループと前記第二画素ユニットサブグループにそれぞれ位置し、隣接する２つの第二サブピクセルの中心の間の距離が前記第二方向での分量、及び前記第一画素ユニットサブグループと前記第二画素ユニットサブグループにそれぞれ位置し、隣接する２つの第三サブピクセルの中心の間の距離が前記第二方向での分量が同じである。従って、回路基板上に同じカラーのサブピクセルが規則的、千鳥状（ｓｔａｇｇｅｒｅｄ）に配置することを確保した。さらに、対応金属マスクを作製する場合、金属マスク中の同じカラーのサブピクセルの対応隣接開口の間の距離が相対的に大きい。それにより、金属マスクの強度を増加した。これは小さいサイズのサブピクセルの作製に役立ち、さらに有機発光ダイオード表示部品の解像度が向上できる。
【図面の簡単な説明】
【００２８】
【図１】従来の有機発光ダイオード表示部品の画素配置の構造見取り図である。
【図２】第一の図１に示す有機発光ダイオード表示部品の作製用金属マスクである。
【図３】第二の図１に示す有機発光ダイオード表示部品の作製用金属マスクである。
【図４】第一の本発明実施例に提供される有機発光ダイオード表示部品の構造見取り図である。
【図５】第一の本発明実施例に提供される有機発光ダイオード表示部品の１つの画素ユニットグループの構造見取り図である。
【図６】図４に示す有機発光ダイオード表示部品の作製用金属マスクである。
【図７】第二の本発明実施例に提供される有機発光ダイオード表示部品の１つの画素ユニットグループの構造見取り図である。
【図８】第二の本発明実施例に提供される有機発光ダイオード表示部品の具体的な構造見取り図である。
【図９】第三の本発明実施例に提供される有機発光ダイオード表示部品の具体的な構造見取り図である。
【図１０】第四の本発明実施例に提供される有機発光ダイオード表示部品の具体的な構造見取り図である。
【図１１】第三の本発明実施例に提供される有機発光ダイオード表示部品の１つの画素ユニットグループの具体的な構造見取り図である。
【図１２】第五の本発明実施例に提供される有機発光ダイオード表示部品の具体的な構造見取り図である。
【図１３】第四の本発明実施例に提供される有機発光ダイオード表示部品の１つの画素ユニットグループの具体的な構造見取り図である。
【図１４】第五の本発明実施例に提供される有機発光ダイオード表示部品の１つの画素ユニットグループの具体的な構造見取り図である。
【図１５】第六の本発明実施例に提供される有機発光ダイオード表示部品の１つの画素ユニットグループの具体的な構造見取り図である。
【図１６】第七の本発明実施例に提供される有機発光ダイオード表示部品の１つの画素ユニットグループの具体的な構造見取り図である。
【発明を実施するための形態】
【００２９】
これからは図面を組み合わせ、本発明実施例に提供される有機発光ダイオード表示部品、その駆動方法及び表示装置を実施するための形態を詳細に説明する。
【００３０】
図面には、各フィルムの形状および大きさは有機発光ダイオード表示部品の真実の割合が反応されておらず、有機発光ダイオード表示部品の部分的な構造のみで、本発明の内容を説明することだけを目的とする。
【００３１】
本発明実施例が有機発光ダイオード表示部品を提供する。図４に示すように、この有機発光ダイオード表示部品は、回路基板１０及び回路基板１０に位置し、マトリクス状に配置される若干の画素ユニットグループ１１（そのうち、１つの画素ユニットグループの構造見取り図は図５の通りである）を含み、かつ各画素ユニットグループ１１が第一方向Ｘに沿って隣接して設置され、かつ３つのカラーが異なるサブピクセルをそれぞれ含む第一画素ユニットサブグループ１１１と第二画素ユニットサブグループ１１２を含み、
第一画素ユニットサブグループ１１１が第二方向Ｙに沿って、第一サブピクセル０１、第二サブピクセル０２及び第三サブピクセル０３との順番に配置するサブピクセル序列を含み、
第二画素ユニットサブグループ１１２が第二方向Ｙに沿って、第三サブピクセル０３、第一サブピクセル０１及び第二サブピクセル０２との順番に配置するサブピクセル序列を含み、
同一の画素ユニットグループ１１に、第一画素ユニットサブグループ１１１と前記第二画素ユニットサブグループ１１２にそれぞれ位置し、隣接する２つの第一サブピクセル０１の中心の間の距離が前記第二方向Ｙでの分量ｙ、前記第一画素ユニットサブグループ１１１と前記第二画素ユニットサブグループ１１２にそれぞれ位置し、隣接する２つの第二サブピクセル０２の中心の間の距離が前記第二方向Ｙでの分量ｙ、及び前記第一画素ユニットサブグループ１１１と前記第二画素ユニットサブグループ１１２にそれぞれ位置し、隣接する２つの第三サブピクセル０３の中心の間の距離が前記第二方向Ｙでの分量ｙが同じである。
【００３２】
本発明の実施例に提供される有機発光ダイオード表示部品は、各画素ユニットグループが第一方向に沿って隣接して設置され、かつ３つのカラーが異なるサブピクセルを含む第一画素ユニットサブグループと前記第二画素ユニットサブグループを含み、そのうち、前記第一画素ユニットサブグループが第二方向に沿って、第一サブピクセル、第二サブピクセル及び第三サブピクセルとの順番に配置するサブピクセル序列を含み、第二画素ユニットサブグループが第二方向に沿って、第三サブピクセル、第一サブピクセル及び第二サブピクセルとの順番に配置するサブピクセル序列を含み、前記同一の画素ユニットグループに、前記第一画素ユニットサブグループと前記第二画素ユニットサブグループにそれぞれ位置し、隣接する２つの第一サブピクセルの中心の間の距離が前記第二方向での分量、前記第一画素ユニットサブグループと前記第二画素ユニットサブグループにそれぞれ位置し、隣接する２つの第二サブピクセルの中心の間の距離が前記第二方向での分量、及び前記第一画素ユニットサブグループと前記第二画素ユニットサブグループにそれぞれ位置し、隣接する２つの第三サブピクセルの中心の間の距離が前記第二方向での分量が同じである。従って、回路基板上に同じカラーのサブピクセルが規律的、千鳥状に配置することを確保した。さらに、対応金属マスクを作製する場合、図６に示すように（そのうち、図６は１つのカラーのサブピクセルの対応金属マスクの開口見取り図を示したのみである）、金属マスク中の同じカラーのサブピクセルの対応隣接開口１２の間の距離が相対的に大きく、かつ隣接して異なるカラーのサブピクセルの対応開口１２の間の距離が相対的に均一で、それにより、金属マスクの強度を増加した。これは小さいサイズのサブピクセルの作製に役立ち、さらに有機発光ダイオード表示部品の解像度が向上できる。
【００３３】
好ましくは、本発明の実施例に提供される前記有機発光ダイオード表示部品は、図５に示すように、同じ画素ユニットサブグループに、隣接する２つのサブピクセルの中心の間の距離は不変（ｃｏｎｓｔａｎｔ）のものである。即ち、第二方向Ｙでの複数の分量ｚが等しい。
【００３４】
好ましくは、本発明の実施例に提供される前記有機発光ダイオード表示部品は、図５に示すように、同じカラーのサブピクセルの大きさが同じである。同じカラーのサブピクセルの大きさが同じであるため、金属マスクの作製難しさをさらに低減できる。
【００３５】
好ましくは、本発明の実施例に提供される前記有機発光ダイオード表示部品は、第一方向が第二方向に垂直する。本発明の実施例に何れも第一方向が第二方向に垂直することを例として説明する。
【００３６】
具体的には、発明を実施する場合、第一方向として、有機発光ダイオード表示部品の行方向又は列方向を選択してもよく、第二方向として、有機発光ダイオード表示部品の列方向又は行方向を選択してもよい。
【００３７】
好ましくは、本発明の実施例に提供される前記有機発光ダイオード表示部品は、図７に示すように、同じ画素ユニットグループに、前記第一画素ユニットサブグループ１１１と前記第二画素ユニットサブグループ１１２にそれぞれ位置し、隣接する２つの同じカラーのサブピクセルの中心の間の距離が第一方向での分量ｘが前記第二方向での分量ｙの３／４以下である。各画素ユニットグループが第一方向での幅を低減することにより、表示部品上の画素ユニットグループの数量を増加でき、これにより、画素解像度が向上できる。さらに、同じ画素ユニットグループ中の第一画素ユニットサブグループと第二画素ユニットサブグループがサブピクセルを共用する方式で（例えば、第一画素ユニットサブグループ中の任意の隣接する２つのサブピクセルが第二画素ユニットサブグループ中のこの２つのサブピクセルとカラーが異なるサブピクセルを共用し、第二画素ユニットサブグループ中の任意の隣接する２つのサブピクセルが第一画素ユニットサブグループ中のこの２つのサブピクセルとカラーが異なるサブピクセルを共用する）、スクリーンのバーチャル表示解像度を向上できる。例えば、オリジナル画素個数がＮである場合、Ｎが２以上の整数で、本発明に記載の有機発光ダイオード表示部品が前記同じ画素ユニットグループのサブピクセル共用方式を用いた後、画素の個数が３Ｎ／２に向上できる。
【００３８】
好ましくは、本発明の実施例に提供される前記有機発光ダイオード表示部品は、第一サブピクセル、第二サブピクセル及び第三サブピクセルが赤（Ｒ）サブピクセル、緑（Ｇ）サブピクセル及び青（Ｂ）サブピクセルからなるグループより選ばれるものである。本発明の実施例では、第一サブピクセルは赤（Ｒ）サブピクセル、緑（Ｇ）サブピクセル及び青（Ｂ）サブピクセルの何れかであってよく、第二サブピクセルは赤（Ｒ）サブピクセル、緑（Ｇ）サブピクセル及び青（Ｂ）サブピクセルの何れかであってよく、第三サブピクセルは赤（Ｒ）サブピクセル、緑（Ｇ）サブピクセル及び青（Ｂ）サブピクセルの何れかであってよい。しかも、第一サブピクセル、第二サブピクセル及び第三サブピクセルのカラーがそれぞれ異なる。
【００３９】
さらに、金属マスク（Ｍａｓｋ）の作製数量を減らすために、本発明の実施例に提供される前記有機発光ダイオード表示部品は、同じ画素ユニットグループに、各サブピクセルの大きさが同じである。これで、有機発光ダイオード表示部品は、同じカラーのサブピクセルの配置位置が同じ規則を示し、かつ各画素の大きさも同じである。即ち、カラーが異なる３つのサブピクセルの配置規則が同じである。これで、異なるカラーのサブピクセルを作製する場合、同じ金属マスクを用いてもよく、これにより、金属マスクの作製数量を減らす。
【００４０】
好ましくは、有機発光ダイオード表示部品の寿命を延長するために、本発明の実施例に提供される前記有機発光ダイオード表示部品は、図８に示すように、同じ画素ユニットグループに、赤（Ｒ）サブピクセルの大きさが緑（Ｇ）サブピクセルの大きさと同じで、青（Ｂ）サブピクセルの大きさが赤（Ｒ）サブピクセルの大きさより大きい。その理由は、青（Ｂ）サブピクセルを作製するための青発光材料の寿命が一般的に最も低いことである。従って、有機発光ダイオード表示部品の寿命は主として青（Ｂ）サブピクセルの寿命に決定づけられる。表示輝度が同じである条件で、青（Ｂ）サブピクセルのサイズが大きくなる場合、青（Ｂ）サブピクセルの輝度が小さくなる。青（Ｂ）サブピクセルを流れる電流密度を低減することにより、青（Ｂ）サブピクセルの寿命が延長でき、さらに有機発光ダイオード表示部品の寿命を延長する。
【００４１】
具体的には、有機発光ダイオード表示部品の各サブピクセルを発光させるために、発光を駆動する画素電路が必要である。画素電路が一般的に発光層の下側に位置し、画素電路が画素電路上側の平坦化層の接触孔により、対応サブピクセルの陽極と電気接続する。
【００４２】
従って、好ましくは、本発明の実施例に提供される前記有機発光ダイオード表示部品は、図９と図１０に示すように、第三サブピクセル０３の大きさはそれぞれ第一サブピクセル０１の大きさと第二サブピクセル０２の大きさより小さい。第三サブピクセル０３が最も小さいため、第三サブピクセル０３の両側に接触孔を設置できる。
【００４３】
さらに、回路基板に各サブピクセルと対応画素電路を接続する接触孔の作製の便利のため、本発明の実施例に提供される前記有機発光ダイオード表示部品は、図１１に示すように、同じ画素ユニットグループ１１に、
前記第一画素ユニットサブグループ１１１と前記第二画素ユニットサブグループ１１２にそれぞれ位置し、隣接する２つの前記第三サブピクセル０３の中心の間の距離が第一方向Ｘでの分量ｘが前記第二方向での分量ｙの３／４より小さい。
【００４４】
前記第一画素ユニットサブグループ１１１と前記第二画素ユニットサブグループ１１２にそれぞれ位置し、隣接する２つの前記第一サブピクセル０１の中心の間の距離が第一方向Ｘでの分量ｘが前記第二方向での分量ｙの３／４に等しい。
【００４５】
前記第一画素ユニットサブグループ１１１と前記第二画素ユニットサブグループ１１２にそれぞれ位置し、隣接する２つの前記第二サブピクセル０２の中心の間の距離が前記第一方向Ｘでの分量ｘが前記第二方向での分量ｙの３／４に等しい。
【００４６】
さらに、本発明の実施例に提供される前記有機発光ダイオード表示部品は、図１２に示すように、前記各画素ユニットグループ１１が、前記各サブピクセルと一々対応する接触孔及び画素電路を含み（図１２に画素電路が示されていない）、前記各サブピクセルが対応接触孔によって対応画素電路と電気接続し、そのうち、
第一画素ユニットサブグループ１１１に、第一接触孔Ｖ１が第一サブピクセル０１と第二サブピクセル０２との間に位置し、第二接触孔Ｖ２と第三接触孔Ｖ３がそれぞれ第三サブピクセル０３の第一方向Ｘの両側に位置し；
第二画素ユニットサブグループ１１２に、第四接触孔Ｖ４が第一サブピクセル０１と第二サブピクセル０２との間に位置し、第五接触孔Ｖ５と第六接触孔Ｖ６がそれぞれ第三サブピクセル０３の第一方向Ｘの両側に位置し；
かつ、第一接触孔Ｖ１、第五接触孔Ｖ５と第六接触孔Ｖ６が第一方向Ｘに一直線になり、第二接触孔Ｖ２、第三接触孔Ｖ３と第四接触孔Ｖ４が第一方向Ｘに一直線になり、第一接触孔Ｖ１と第二接触孔Ｖ２が第二方向Ｙに一直線になり、第五接触孔Ｖ５と第三接触孔Ｖ３が第二方向Ｙに一直線になり、第六接触孔Ｖ６と第四接触孔Ｖ４が第二方向Ｙに一直線になる。これで、回路基板上の各接触孔がマトリクス状に配置され、これにより、接触孔の作製難しさを低減し、かつ有機発光ダイオード表示部品のバックプレーンの配線の難しさを低減できる。
【００４７】
説明しておきたいのは、本発明の実施例に提供される前記有機発光ダイオード表示部品は、各画素ユニットグループに、第一接触孔が第一画素ユニットサブグループに第一接触孔と隣接する２つのサブグループ中の１つのサブグループに対応し、第一接触孔と隣接する２つのサブグループ中のもう１つのサブグループに対応するのが第五接触孔であり、第二接触孔が第一画素ユニットサブグループ中の第三サブグループに対応し、第四接触孔が第二画素ユニットサブグループに第四接触孔と隣接する２つのサブグループ中の１つのサブグループに対応し、第四接触孔と隣接する２つのサブグループ中のもう１つのサブグループに対応するのが第三接触孔であり、第六接触孔が第二画素ユニットサブグループ中の第三サブグループに対応する。
【００４８】
さらに、作製難しさをさらに低減するために、本発明の実施例に提供される前記有機発光ダイオード表示部品は、各接触孔のサイズが一致している。
【００４９】
好ましく、本発明の実施例に提供される前記有機発光ダイオード表示部品は、図１３に示すように、カラーの異なる各サブグループの寿命及び表示効果により、第三サブグループ０３が緑（Ｇ）サブグループである。そのため、緑サブグループの大きさがそれぞれ赤サブグループと青サブグループの大きさより小さい。
【００５０】
さらに、本発明の実施例に提供される前記有機発光ダイオード表示部品は、有機発光ダイオード表示部品の開口率を確保するために、図１５と図１６に示すように、第三サブピクセル０３が第二方向Ｙに沿って延伸する第一部分０３１、及び第一部分０３１から第一方向Ｘに平行する方向に沿って延伸する延伸部０３２を具体的に含み、そのうち、平行としては平行に近似してもよく、
第一画素ユニットサブグループ１１１に、第二接触孔Ｖ２と第三接触孔Ｖ３がそれぞれ第三サブピクセル０３の第一部分０３１の両側に位置し、かつ第三サブピクセル０３の延伸部０３２が少なくとも第二接触孔Ｖ２の片側に位置し、
第二画素ユニットサブグループ１１２に、第五接触孔Ｖ５と第六接触孔Ｖ６がそれぞれ第三サブピクセル０３の第一部分０３１の両側に位置し、かつ第三サブピクセル０３の延伸部０３２が少なくとも第六接触孔Ｖ６の片側に位置する。このように、接触孔の配置位置に影響を及ぼさないことを確保するこれに基づき、第三サブピクセルの発光面積を増加でき、これにより、有機発光ダイオード表示部品の開口率を増加した。
【００５１】
好ましくは、本発明の実施例に提供される前記有機発光ダイオード表示部品は、金属マスクの作製回数を減らすために、図１３に示すように、青（Ｂ）サブピクセルの大きさが赤（Ｒ）サブピクセルの大きさに等しい。
【００５２】
または、好ましくは、本発明の実施例に提供される前記有機発光ダイオード表示部品は、有機発光ダイオード表示部品の寿命を確保するために、図１４に示すように、青（Ｂ）サブピクセルの大きさが赤（Ｒ）サブピクセルの大きさより大きい。
【００５３】
好ましくは、本発明の実施例に提供される前記有機発光ダイオード表示部品は、各サブピクセルの形状が矩形であり、ここで限定しないこととする。
【００５４】
同じ発明構想に基づき、本発明の実施例は、前記同じ画素ユニットグループに、第一画素ユニットサブグループと第二画素ユニットサブグループが少なくとも１つのサブピクセルを共用することを含む、本発明の実施例に提供される前記何れかの有機発光ダイオード表示部品の駆動方法も提供する。例えば、第一画素ユニットサブグループ中の第一サブピクセルと第二サブピクセルが第二画素ユニットサブグループ中の第三サブピクセルを共用し、又は第一画素ユニットサブグループ中の第二サブピクセルと第三サブピクセルが第二画素ユニットサブグループ中の第一サブピクセルを共用し、又は第二画素ユニットサブグループ中の第一サブピクセルと第二サブピクセルが第一画素ユニットサブグループ中の第三サブピクセルを共用し、又は第二画素ユニットサブグループ中の第一サブピクセルと第三サブピクセルが第一画素ユニットサブグループ中の第二サブピクセルを共用する。従って、同じ画素ユニットグループがサブピクセルを共用する前記方式を用いた後、例えば、オリジナル画素個数がＮである場合（Ｎが２以上の整数）、画素の個数が３Ｎ／２に向上でき、これにより、スクリーンのバーチャル表示解像度を向上できる。
【００５５】
本発明の実施例に提供される前記駆動方法は、同じ画素ユニットグループがサブピクセルを共用する方式で、スクリーンのバーチャル表示解像度を向上でき、これにより、オリジナル画素個数を３／２倍に向上できる。
【００５６】
同じ技術構想に基づき、本発明の実施例は、本発明の実施例に提供される前記有機発光ダイオード表示部品を含む表示装置も提供する。この表示装置として、携帯、パネルＰＣ、テレビ、ディスプレイ、ノットブック、デジタルフォトフレーム、ナビゲーター等の表示機能を有する任意の製品又は部品が挙げられる。この表示装置の他の不可欠の組成部分は何れも当業者が理解できるものであり、ここで省略することにし、本発明がこれに限定されるものではない。当該表示装置の実施について、前記有機発光ダイオード表示部品の実施例を参照し、重複する箇所はここで省略する。
【００５７】
本発明の実施例に提供される有機発光ダイオード表示部品、その駆動方法及び表示装置により、各画素ユニットグループが第一方向に沿って隣接して設置され、かつ３つのカラーが異なるサブピクセルを含む第一画素ユニットサブグループと前記第二画素ユニットサブグループを含み、そのうち、第一画素ユニットサブグループが第二方向に沿って、第一サブピクセル、第二サブピクセル及び第三サブピクセルとの順番に配置するサブピクセル序列を含み、第二画素ユニットサブグループが第二方向に沿って、第三サブピクセル、第一サブピクセル及び第二サブピクセルとの順番に配置するサブピクセル序列を含み、前記同じ画素ユニットグループに、前記第一画素ユニットサブグループと前記第二画素ユニットサブグループにそれぞれ位置し、隣接する２つの第一サブピクセルの中心の間の距離が前記第二方向での分量、前記第一画素ユニットサブグループと前記第二画素ユニットサブグループにそれぞれ位置し、隣接する２つの第二サブピクセルの中心の間の距離が前記第二方向での分量、及び前記第一画素ユニットサブグループと前記第二画素ユニットサブグループにそれぞれ位置し、隣接する２つの第三サブピクセルの中心の間の距離が前記第二方向での分量が同じである。従って、回路基板上に同じカラーのサブピクセルが規則的、千鳥状に配置することを確保した。さらに、対応金属マスクを作製する場合、金属マスク中の同じカラーのサブピクセルの対応隣接開口の間の距離が相対的に大きい。それにより、金属マスクの強度を増加した。これは小さいサイズのサブピクセルの作製に役立ち、さらに有機発光ダイオード表示部品の解像度が向上できる。
【００５８】
明らかに、当業者は本発明の精神及び範囲から逸脱することなく、本発明に対して、様々の変更及び変形が可能である。これで、もし、本発明に対する修改及び変形が本発明の請求項及びそれに等しい技術の範囲に該当するなら、本発明もこのような変更及び変形を含む。
【符号の説明】
【００５９】
１０  回路基板
１１  画素ユニットグループ
０１  第一サブピクセル
０２  第二サブピクセル
０３  第三サブピクセル
１１１  第一画素ユニットサブグループ
１１２  第二画素ユニットサブグループ
【図１】
0006495460.tif 000002
【図２】
0006495460.tif 000003
【図３】
0006495460.tif 000004
【図４】
0006495460.tif 000005
【図５】
0006495460.tif 000006
【図６】
0006495460.tif 000007
【図７】
0006495460.tif 000008
【図８】
0006495460.tif 000009
【図９】
0006495460.tif 000010
【図１０】
0006495460.tif 000011
【図１１】
0006495460.tif 000012
【図１２】
0006495460.tif 000013
【図１３】
0006495460.tif 000014
【図１４】
0006495460.tif 000015
【図１５】
0006495460.tif 000016
【図１６】
0006495460.tif 000017